(57)【要約】【課題】  船釣りの船上で魚から針を外すとき、仕掛けを作るとき、また、餌を付けるときなど釣竿を船べりに立て掛けても釣竿が転倒しない、釣竿転倒防止竿受けを提供する。【課題を解決するための手段】  釣竿Ｓの長手途中の外周に嵌めるスリーブ２ａがあって、その下に胴体３があり、胴体３の底にステー５を装着して、釣竿Ｓの転倒を防止する。安価、小型、軽量で使い勝手の良い釣竿用の竿受けと成した。【選択図】    図２
2007014213.tif 000002
【特許請求の範囲】
【請求項１】
釣竿Ｓの長手途中の外周に嵌めるスリーブ２ａがあって、その下に胴体３を有し、胴体３の底にステー５を取り付けたことを特徴とする釣竿転倒防止竿受け。
【請求項２】
請求項１において、胴体３とステー５の間に連結器具１５を用いることを特徴とする釣竿転倒防止竿受け。
【発明の詳細な説明】
【技術分野】
【０００１】
本発明は、船釣りにおいて釣竿Ｓを船ベリＡに立て掛けた時、立て方具合や船の揺れで、釣竿Ｓが転倒するのを防止する釣竿転倒防止竿受け器具に関するものである。
【背景技術】
【０００２】
竿受け器具を分類した場合、船べりＡに装着する器具と釣竿Ｓに直接装着する器具とに分けられる。前者の竿受け器具をロッドキーパーあるいはロッドホルダーと呼んでいるが、本発明は後者の釣竿用の竿受けを考案したものである。
釣竿用の竿受けには、船べりＡに装着するための補助器具や、軽量で使い勝手の良い竿受けもあるが（特許文献１参照）、船上での釣竿Ｓの転倒防止には向いていなかった。
【特許文献１】特開２００１−２９２６７５
【発明の開示】
【発明が解決しようとする課題】
【０００３】
従来の竿受け器具は高価な上に重く、持ち運びや脱着に手間や時間がかかり装着中に船酔いしかねない。
船上で竿受けを利用するのは、魚から針を外すとき、仕掛けを作るとき、餌を付けるときなどの短い時間で、それ以外のほとんどは釣竿Ｓを持って魚のアタリを待つことに費やされる。そのため釣竿Ｓを単に船べりＡに立て掛けたいのだが、立て方具合や船の揺れで釣竿Ｓが転倒し、釣竿ＳやリールＲを傷めるだけでなく、隣接する釣り人にも迷惑をかける。
【０００４】
そこで、船べりＡに釣竿Ｓを立て掛けても釣竿Ｓが転倒せず、脱着が簡単でしかも安価で使い勝手が良く、小型軽量で携行性にも優れた竿受けが求められた。
【課題を解決するための手段】
【０００５】
船釣用の釣竿Ｓは、図４から長手途中の外周にスポンジグリップ８があって、握りやすいように中央部分が太めになっている。そのためスリット２ｃの入ったスリーブ２ａを嵌めると、途中で止まるような径の大きさに設定する。
図３は本発明の分解図である。スリーブ２ａの下には胴体３があり、胴体３の底面に転倒を防止するためのステー５を、ネジ７とナット４で装着する。図１のように船べりＡに釣竿Ｓを斜めに立て掛けるので、釣竿Ｓの角度およびリールＲの重みでステー５を抑えられる。
【０００６】
数回使用していると釣竿Ｓから抜けることがあるので、予め胴体３の両側面に小ビスを２ヵ所設け、輪ゴム１０を引っ掛けてスリット２ｃ部分を締め付けておくことによって、釣竿Ｓから抜けるのを防ぐ。
図４は輪ゴム１０とすべり止め用のクッションゴム９を装着した図である。クッションゴム９を輪ゴム１０とスポンジグリップ８との間に挟むと、さらにずれず抜けづらくなる。
【０００７】
以下、具体的に説明する。
中通し竿の場合、本発明装着場所から竿尻まで６００ｍｍ程ある。本県における釣り船のほとんどは、船べりＡから船床まで４５０ｍｍ前後が一般的なので、釣竿Ｓを立て掛けると角度が５０度前後になる。船べりＡの幅は２００ｍｍ位でその範囲内を本発明が移動して、釣竿Ｓの角度を変えてステー５を抑える。
【０００８】
図２は本発明の斜視図である。スリーブ２ａには釣竿Ｓのスポンジグリップ８から脱着を容易にするためのスリット２ｃが切り込まれている。
スリーブ２ａの幅は長いほど抜けずらいが、スポンジグリップ８は手で握る場所であることを考慮すると２０ｍｍ程が適度である。
スリーブ２ａの上部に目印の線Ｆを入れ、釣竿Ｓにも図５のように目印Ｆがあると装着場所を特定し易い。
【０００９】
スリーブ２ａの下には胴体３があって、胴体３が長いほど船べりＡの幅上を移動できて釣竿Ｓの角度の範囲も広がるが、定置が不安定になるので、胴体３の長いのを使用する釣行の場合は、長めのステー５で安定性を得る。
また胴体３には図５からフック１１ａを掛けられる凹がある。本体がグラ付かないようにさらに安定させたい場合には、フック付きゴムバンドＣをタコ糸で自作した輪１２に引っ掛けてゴム１１ｃを張ると、本発明は固定された状態となる。フック付きゴムバンドＣは市販品なので生産性も良い。
【００１０】
自作のタコ糸の輪１２とフック付きゴムバンドＣは、落下防止用としても活用する。つまり図１の使用状態で、フック付きゴムバンドＣを自作のタコ糸の輪１２と船の手すりＤに掛けることで、釣竿Ｓの落下防止としても活用できる。
また釣り座を離れるときや、ポイント移動のために船が走るときなどにも利用できる。
【００１１】
図３の分解図から、胴体３の下部にステー５をネジ７とナット４で止めるための孔６を２ヵ所設けているが、ステー５にはその他に数ヶ所の孔６が設けてある。材料のコスト低減にもなるが、これは釣竿ＳにリールＲを装着した際、リールＲによっては右に過重のかかるのがあって、右のステー５を少し長めにすることにより、ステー５の左右にかかる過重の釣り合いを調整できる。
ステー５の左右に孔６を設けてあるのでリールを左手で巻く釣り人にも有効である。
【発明の効果】
【００１２】
上述のように釣竿からの脱着が簡単で、しかも小型軽量で使い勝手がよく携行性にも優れるので、自宅からの装着も可能である。
また船の移動時で船床Ｇや適当な場所に置いても、図５のようにリールＲがいつも上向きなので見栄えも良く、リールＲを船床Ｇにぶつける心配もない。
【００１３】
このように、餌を付けるときや魚を針から外すときなど、単に釣竿Ｓを船べりＡに立て掛けたいときの短時間の操作に効果があるので、釣り大会には必需品と言える。
【００１４】
本発明の特徴は釣竿転倒防止だけでなく、リールＲを常に上向きに置けることでリールＲを船床Ｇにぶつける心配もない。またアタリを待っているとき釣竿Ｓを両手で持たなくても、船べりＡに本発明を添えて片手で操作できるので腕が楽である。
さらにもう１つの特徴として、長く送り出した道糸Ｂを巻き上げるときや、アイナメ、キス、鯛などを釣り上げる時も、本発明を船べりＡに添えてリールＲを巻くと腕が楽で、しいては疲労軽減にもなる。
【発明を実施するための最良の形態】
【００１５】
本発明の竿受けは釣竿Ｓに取り付けて使用する。釣竿Ｓを船べりＡに斜めに立て掛けるので、釣竿Ｓの角度とリールＲの重みでステー５を抑え、ステー５によって左右に倒れない。これによって釣竿Ｓの転倒を防止することを実現した。
【実施例１】
【００１６】
本発明の実施形態を説明する。
図５は本発明を釣竿Ｓに装着した図である。釣竿Ｓの外周に密着させて嵌めるスリーブ２ａがあって、それを胴体３で受け止め、その胴体３の下にステー５をネジ７とナット４で固定する。ステー５は取り外し可能なので、釣行状況により長短の選択ができる。
【００１７】
またリールＲの重みでスリーブ２ａ内を釣竿Ｓが回転する場合は、図４のように小ビス１に輪ゴム１０を巻きつけると、スリット２ａが締め付けられると同時に、輪ゴム１０が釣竿Ｓのスポンジクッション８の外周にあたり回転しづらくなる。そのためスリットの切り込みは輪ゴムが接触する程度の幅に切り込んである。
通常はこの状態で使用するが、すべり止めのクッションゴム９を輪ゴム１０に挟むと締め付けられるので尚効果がある。
輪ゴム１０は一般に市販されている直径４０ｍｍ程で、１０の輪ゴム２〜３本を小ビス１に引っ掛けたら折り返す。
【００１８】
さらに、図５のように胴体３にフック１１ａを掛け、もう一方にタコ糸で輪１２を自作するか、もしくは市販されている落下防止用の尻手ベルトのフックに、フック付きゴムバンドＣを掛けて引っ張るとよりいっそう安定する。
胴体３はコスト低減のため胴体３の中央部の側壁を図７のように切り抜いても良い。
【００１９】
船床Ｇから船べりＡまでの距離が長い大きな船の場合、あるいは釣竿Ｓの細い長手部分にスリーブ２ａを嵌めたいときは、図６のように釣竿Ｓの外周に市販されているゴムシート１４を重ねて、厚さを調整しながらスポンジグリップ１３を巻き、その上からスリーブ２ａを嵌めても良い。
【００２０】
ステー５の長さの選択は、釣竿Ｓの長さ、リール５の重さ、釣竿Ｓの角度、波の状態、船の揺れ具合などの釣行状況によって、長短ステー５を数個用意しておくのが望ましく、ステー５は長いほど、あるいは金具のように多少重い方が安定する。ネジ７とナット４で止めてあるだけなので釣り用のペンチで簡単に交換できる。
船が少し揺れる場合でも、短時間船べりＡに立て掛けるだけなので、１００ｍｍ〜２００ｍｍ程の長さで十分である。
図４のようにステー５を溝ゴム１６で挟むとさらに船べりＡ上ですべりづらくなるので扱い易い。
【実施例２】
【００２１】
図７は胴体３とステー５を独立させたものである。スリーブ２ａと一体の胴体３が遊動するように連結器具１５を用いる。つまり胴体３とステー５の間に隙間を設け、胴体３の両側面にプラスチックか金具でできたＬ字型の連結器具１５で、胴体３とステー５をネジ７とナット４で止める。胴体３は浮いている状態なのでスリーブ２ａと一体の胴体３を前後に動かすことができる。
【００２２】
これによりステー５を船べりＡに平面に置いて、スリーブ２ａと胴体３を手前に倒して釣竿Ｓを立て掛けることができるので、船べりＡの幅上を釣竿Ｓの角度を変えて立て掛けるための範囲が広がる。また船べりＡとの接地面が多くなるので安定感がある。
胴体３を長めに設定した場合や胴体３とステー５の隙間を長く設定した場合も有効で、さらに移動範囲も広がるが安定性を考慮し、この場合は少し長めのステー５を使用することが望ましい。
【００２３】
スリット２ｃは道糸Ｂが通るだけの幅に切り込んであるので、スポンジグリップにスッポリ嵌る。そのため小ビス１と輪ゴム１０は使用しなくて良いが、フック付きゴムバンドＣを掛けるとグラつかず安定感がある。本発明を竿先から通しスリットから道糸を通して、スポンジグリップ８に嵌めて使用する。
ステー５に溝ゴム１６を嵌めるとすべらないので効果がある。また胴体の側壁はコスト削減のため切り抜いてある。
【実施例３】
【００２４】
図８を説明する。
スリーブ２ｂと一体の胴体３は実施例２から、Ｌ字型の連結器具１５を用いてネジ７とナット４で止める。スポンジグリップ８に嵌められない釣行の場合、図８−１のように釣竿Ｓの径に合ったキャップ１８をスリーブ２ａに嵌め、輪ゴムで締め付けても良い。あるいは図８−２のようにスリーブ２ａを小さめの径に加工する。
釣竿Ｓの長手途中の細い部分に嵌めるのに適し、この場合釣竿Ｓを傷めないため、ゴムシート１４をスリーブ２ｂに挟めて釣竿に嵌める。
【００２５】
上述のようにキャップ１８やスリーブ２ａを加工することによって、磯釣竿や防波堤釣竿などの各種の釣竿Ｓにも応用できる。そのため釣竿Ｓを下に置くときリールＲは常に上向きでなので、岩場やコンクリートあるいは適当な所に置いてもリールＲをぶつける心配もない。また図１のようにクーラーボックスＥの上に立て掛けても左右にすべって転倒せず、見栄えも良く、使い易くて便利である。
【実施例４】
【００２６】
続いて図９を説明する。
本発明を置き竿として使用するために、図１のように船べりＡに立て掛けて竿尻部分のグリップと船に、フック付きゴムバンドＣでくくって締め付けて使用したところ、道糸Ｂの流れる方向によってステー５にかかる過重が不安定になり、釣竿Ｓの尻部が左右に引っ張られるときがある。そこでステー５をＬ字型アングル１７で対応する。
通常は図９−１のように船べりＡに置いて釣竿Ｓを立て掛けて使用するが、置き竿にする場合は図９−２のように、Ｌ字型アングル１７を船べりＡの角に宛がうと、Ｌ字型アングル１７が左右に動いたり引っ張られたりしない。
また釣竿Ｓが動かないように、釣竿Ｓに取り付けた、タコ糸で輪を自作した落下防止用フック１２に、フック付きゴムバンドＣを廻し片方を船に掛ける。これにより道糸Ｂが左右どちらかに流されて引っ張られている場合でも、Ｌ字型アングルが船べりＡを支え釣竿Ｓは安定される。そのため竿先にアタリが来るまで置き竿として使用できる。
【００２７】
スリーブ２ａと胴体３の材質はプラスチック系統の軽いもので、市販されている図２の形をしたイレクターを加工すると安価で生産性にも優れる。
Ｌ字型の連結器具１５は、金具だと耐久性に優れるがプラスチックでも良く、市販されているイレクターの下部を切り取って加工すると材料的に安価である。
ステー５はプラスチックかアルミにすると軽いので操作し易く、ステー５を定規にすると釣り上げた魚を測定できて便利である。また、金具にした場合重みを感じるが立て掛けたとき安定感は得られる。  
本発明はこのようにユニークな発想を基に応用範囲も広がると思われる。
【図面の簡単な説明】
【００２８】
【図１】使用状況
【図２】前方斜視図
【図３】分解図
【図４】輪ゴムとすべり止めクッションおよび溝ゴムの装着斜視図
【図５】釣竿に装着およびゴムバンドと自作のひも輪装着斜視図
【図６】補助スポンジとゴムシート取り付け装着斜視図
【図７】スリーブと胴体の前後遊動および溝ゴムの取り付け装着斜視図
【図８】キャップとゴムシートおよび細い径のスリーブ装着斜視図
【図９】Ｌ字型アングルの使用後方斜視図
【符号の説明】
【００２９】
Ａ        船べり
Ｂ        道糸
Ｃ        フック付きゴムバンド、もしくは落下防止用尻手ベルト
Ｄ        手すり
Ｅ        クーラーボックス
Ｆ        装着目印
Ｇ        船床
Ｓ        釣竿
Ｒ        リール
Ｈ        スリーブと一体の胴体
１        小ビス
２ａ      スリーブａ
２ｂ      スリーブｂ
２ｃ      スリット
３        胴体
４        ナット
５        ステー
６        孔
７        ネジ
８        スポンジグリップ
９        すべり止めクッション
１０      輪ゴム
１１ａ    フック
１１ｂ    止め具
１１ｃ    ゴムバンド
１２      自作によるタコひもの輪
１３      補助用スポンジグリップ
１４      ゴムシート
１５      Ｌ字型連結器具
１６      溝ゴム
１７      Ｌ字型アングル
１８      キャップ
【図１】
2007014213.tif 000003
【図２】
2007014213.tif 000004
【図３】
2007014213.tif 000005
【図４】
2007014213.tif 000006
【図５】
2007014213.tif 000007
【図６】
2007014213.tif 000008
【図７】
2007014213.tif 000009
【図８】
2007014213.tif 000010
【図９】
2007014213.tif 000011